(57)【特許請求の範囲】
【請求項１】
所定の射出領域から射出された光束の透過光量を調整する調光装置であって、
前記光束の中心軸に対する略直交方向に沿う回動軸を有する回動部材と、
前記回動部材によって保持され、かつ、当該回動部材の回動に伴って、当該光束の少なくとも一部を遮蔽する遮光部材とを備え、
前記遮光部材は、
入射した光の透過を規制して遮光する遮光面を有し、
前記遮光面は、前記光束の入射側に向けて膨出する略円弧状を有し、当該遮光面に入射される光の一部を反射させて、当該遮光面に入射した光量に対して、前記射出領域に到達する光量を低減する
ことを特徴とする調光装置。
【請求項２】
請求項１に記載の調光装置において、
前記遮光面は、前記光束の入射側に向けて膨出する略楕円曲面形状を有する
ことを特徴とする調光装置。
【請求項３】
請求項１又は請求項２に記載の調光装置において、
前記遮光面には、当該遮光面に入射した光を吸収する光吸収層が形成されている
ことを特徴とする調光装置。
【請求項４】
請求項１から請求項３のいずれかに記載の調光装置において、
前記遮光面には、前記遮光部材が前記光束の中心軸に対して略直交するように配置された際に、当該中心軸に対して傾斜する傾斜面を有する凸部が形成されている
ことを特徴とする調光装置。
【請求項５】
光束を射出する光源装置と、
請求項１から請求項４のいずれかに記載の調光装置とを備え、
前記光源装置は、
光を射出する発光部を有する光源ランプと、
前記光源ランプから射出された光を反射して、当該光を光束として一方向に射出する反射鏡とを備え、
前記遮光部材は、前記光束の光路上に配置され、
前記射出領域は、前記光源ランプの発光部である
ことを特徴とする照明装置。
【請求項６】
請求項５に記載の照明装置と、当該照明装置から射出された光束を変調して、画像情報に応じた画像光を形成する光変調装置と、形成された前記画像光を投射する投射光学装置とを備える
ことを特徴とするプロジェクタ。
【発明の詳細な説明】
【技術分野】
【０００１】
本発明は、所定の射出領域から射出された光の透過光量を調整する調光装置、当該調光装置を備えた照明装置及びプロジェクタに関する。
【０００２】
従来、光源装置と、当該光源装置から射出された光束を画像情報に応じて変調して画像光を形成する光変調装置と、形成された画像光を拡大投射する投射光学装置とを備えたプロジェクタが知られている。このうち、光源装置としては、光源ランプと、当該光源ランプから射出された光を反射して一方向に射出する反射鏡とを備える光源装置が用いられることが多い。
このようなプロジェクタとして、投射される画像のコントラスト向上等を目的として、光源装置から射出され、かつ、光変調装置に入射する光束の光量を調整する調光装置を備えたプロジェクタが提案されている（例えば、特許文献１参照）。
【０００３】
この特許文献１に記載の調光装置は、入射される光束の中心軸に対して対称配置される一対の遮蔽部材と、それぞれ遮蔽部材を保持するとともに、回動することで当該遮蔽部材を光束の光路内に介装させる一対の回動軸と、当該一対の回動軸を回動させる駆動機構と、一対の回動軸及び駆動機構を支持して一体化する固定部材とを備えている。このような調光装置は、光源装置から射出された光束により、光変調装置としての液晶パネルの画像形成領域を均一に照明するために設けられた一対のレンズアレイ間に設けられている。そして、この調光装置では、駆動機構の駆動量、すなわち、回動軸の回動量に応じて、入射光束の透過領域に対して遮蔽部材が挿入され、当該遮蔽部材により入射光束が部分的に遮蔽されることで、画像形成領域に入射される光量が調整される。
【０００４】
【特許文献１】特開２００７−７１９１３号公報
【発明の開示】
【発明が解決しようとする課題】
【０００５】
ここで、前述の特許文献１に記載の調光装置では、一対の遮蔽部材が全閉状態、すなわち、当該一対の遮蔽部材が同一平面上に位置するように配置された状態では、当該各遮蔽部材は、各遮蔽部材に入射する光束の中心軸に対して直交する。この場合、遮蔽部材に入射された光は、光源装置から射出され、かつ、当該遮蔽部材に入射されるまでの光路を逆に進行して光源装置に入射する。このように遮蔽部材により反射された光が、光源装置（特に、前述の光源ランプ）に入射すると、光源装置の温度が上昇し、当該光源装置が劣化しやすくなるという問題がある。
【０００６】
本発明の目的は、光の射出領域に戻る光量を低減することができる調光装置、照明装置及びプロジェクタを提供することである。
【課題を解決するための手段】
【０００７】
前記した目的を達成するために、本発明の調光装置は、所定の射出領域から射出された光束の透過光量を調整する調光装置であって、前記光束の中心軸に対する略直交方向に沿う回動軸を有する回動部材と、前記回動部材によって保持され、かつ、当該回動部材の回動に伴って、当該光束の少なくとも一部を遮蔽する遮光部材とを備え、前記遮光部材は、入射した光の透過を規制して遮光する遮光面を有し、前記遮光面は、前記光束の入射側に向けて膨出する略円弧状を有し、当該遮光面に入射される光の一部を反射させて、当該遮光面に入射した光量に対して、前記射出領域に到達する光量を低減することを特徴とする。
【０００８】
本発明によれば、遮光面に施された加工により、遮光面に入射した光量に対して、調光装置に入射する光の射出領域に戻る光量が低減される。これによれば、例えば、調光装置に光束を射出する光源装置として、前述の光源ランプ及び反射鏡を備えた光源装置が用いられている場合では、光源ランプが光の射出領域となるので、遮光部材に入射した光量に対して、光源ランプに戻る光量を低減することができ、これにより、光源ランプの温度上昇を抑制することができる。従って、射出領域の温度上昇を抑制することができ、当該射出領域として光源ランプが用いられている場合には、当該光源ランプの劣化を抑制することができる。
また、遮光面が、射出領域に近接する方向に突出する湾曲面として形成されている。これによれば、遮光部材が、射出領域から射出された光束の中心軸に対して略直交するように配置された場合、当該遮光面により、入射した光を、射出領域からの光束の透過領域外に拡散するように反射することができる。このため、射出領域から遮光面に光が入射する際の光路を逆に進行して、当該射出領域に到達する光量を確実に低減することができる。従って、射出領域の温度上昇を確実に抑制することができる。
【０００９】
本発明では、前記遮光面は、前記光束の入射側に向けて膨出する略楕円曲面形状を有することが好ましい。
【００１０】
本発明では、前記遮光面には、当該遮光面に入射した光を吸収する光吸収層が形成されていることが好ましい。
本発明によれば、遮光面に光吸収層が形成されていることにより、当該遮光面に入射された光量に対して、当該遮光面により反射される光量を低減することができるので、遮光面から射出領域に到達する光を確実に低減することができる。従って、射出領域の温度上昇を確実に抑制することができる。また、前述のように、湾曲して形成された遮光面に、光吸収層が形成されている場合には、射出領域に到達する光量を、一層確実に低減することができる。従って、射出領域の温度上昇を一層確実に抑制することができる。
【００１１】
本発明では、前記遮光面には、前記遮光部材が前記光束の中心軸に対して略直交するように配置された際に、当該中心軸に対して傾斜する傾斜面を有する凸部が形成されていることが好ましい。
本発明によれば、遮光部材が、射出領域から射出された光束の中心軸に対して略直交するように配置された場合、遮光面に形成され、かつ、当該中心軸に対して傾斜する傾斜面を有する凸部により、当該遮光面に入射した光は、射出領域から射出された光束の透過領域の外側に広がるように反射される。これによれば、湾曲して形成された前述の遮光面と同様に、射出領域から遮光面に入射する光の光路を逆に進行して、当該射出領域に到達する光量を低減することができる。従って、射出領域の温度上昇を、確実に抑制することができる。更に、前述のように湾曲して形成された遮光面、及び、光吸収層が形成された遮光面に、当該凸部が形成されていれば、射出領域に到達する光量をより一層低減することができる。
【００１２】
また、本発明の照明装置は、光束を射出する光源装置と、前述の調光装置とを備え、前記光源装置は、光を射出する発光部を有する光源ランプと、前記光源ランプから射出された光を反射して、当該光を光束として一方向に射出する反射鏡とを備え、前記遮光部材は、前記光束の光路上に配置され、前記射出領域は、前記光源ランプの発光部であることを特徴とする。
【００１３】
このような発光部としては、一対の電極を備え、当該一対の電極に電圧を印加することで光を発する光源ランプの場合には、当該光源ランプにおける一対の電極が設けられた領域（特に、電極間の領域）とすることができる。
本発明によれば、前述の調光装置と同様の効果を奏することができる。
また、遮光部材に入射する光の射出領域は、光源装置を構成する光源ランプの発光部であるので、当該発光部の温度上昇を抑制することができ、当該光源ランプの劣化、ひいては、照明装置の劣化を抑制することができる。
【００１４】
また、本発明のプロジェクタは、前述の照明装置と、当該照明装置から射出された光束を変調して、画像情報に応じた画像光を形成する光変調装置と、形成された前記画像光を投射する投射光学装置とを備えることを特徴とする。
本発明によれば、前述の照明装置と同様の効果を奏することができるほか、調光装置により、照明装置から光変調装置に入射される光量を調節することができるので、当該光変調装置により形成され、かつ、投射光学装置により投射される画像のコントラストを向上することができる。
【発明を実施するための最良の形態】
【００１５】
〔１．第１実施形態〕
以下、本発明の第１実施形態に係るプロジェクタを図面に基づいて説明する。
〔プロジェクタの構成〕
図１は、本実施形態に係るプロジェクタ１の構成を示す模式図である。
本実施形態のプロジェクタ１は、外部から入力される画像情報に応じた画像に係る画像光を形成し、当該画像光をスクリーン等の投射面上に拡大投射するものである。このプロジェクタ１は、図１に示すように、外装筐体２、投射レンズ３及び光学ユニット４を備えている。
また、これらの他に、プロジェクタ１は、当該プロジェクタ１内部を冷却する冷却ファン等で構成される冷却ユニット９１、プロジェクタ１内部の各構成部材に電力を供給する電源ユニット９２、及び、プロジェクタ１全体を制御する制御ユニット９３等を備え、これらユニット９１〜９３は、外装筐体２内に配置されている。
【００１６】
〔外装筐体及び投射レンズの構成〕
外装筐体２は、投射レンズ３及び光学ユニット４等を内部に収納配置するものであり、全体略直方体形状に形成されている。なお、本実施形態では、外装筐体２を合成樹脂により形成したが、これに限らず、金属等の他の材料により形成してもよい。
投射レンズ３は、光学ユニット４にて形成された画像光を、投射面上に結像させるとともに、当該画像光に係る画像を拡大投射する投射光学装置である。この投射レンズ３は、筒状の鏡筒内に複数のレンズが収納された組レンズとして構成されている。
【００１７】
〔光学ユニットの構成〕
光学ユニット４は、前述の制御ユニット９３による制御下で、光源から射出された光束を、光学的に処理して画像情報に応じた画像光を形成するユニットである。この光学ユニット４は、外装筐体２の背面に沿って延出するとともに、外装筐体２の側面に沿って延出する平面視略Ｌ字形状を有している。
このような光学ユニット４は、照明光学装置４１と、色分離光学装置４２と、リレー光学装置４３と、電気光学装置４４と、これら光学部品４１〜４４を内部に収納配置するとともに、投射レンズ３を所定位置で支持固定する光学部品用筐体４５とを備えている。
【００１８】
〔照明光学装置の構成〕
照明光学装置４１は、本発明に照明装置に相当し、電気光学装置４４を構成する後述する液晶パネル４４２の画像形成領域をほぼ均一に照明する。この照明光学装置４１は、光源装置４１１と、第１レンズアレイ４１２と、第２レンズアレイ４１３と、偏光変換素子４１４と、重畳レンズ４１５と、調光装置５とを備えて構成されている。
【００１９】
光源装置４１１は、放射状の光線を射出する光源ランプ４１６と、当該光源ランプ４１６から射出された放射光を反射して、所定位置に収束させる反射鏡としてのリフレクタ４１７と、リフレクタ４１７にて反射されて収束される光束を照明光軸Ａに対して平行化する平行化凹レンズ４１８と、これらを内部に収納するハウジング４１９（図６参照）とを備えている。このような光源ランプ４１６は、本実施形態では、超高圧水銀ランプを採用しているが、ハロゲンランプ及びメタルハライドランプ等の他の放電型の光源ランプを採用することも可能である。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００２０】
このような光源ランプ４１６は、詳しい図示を省略したが、内部に一対の電極を有し、かつ、放電空間が形成された発光部４１６１（図７及び図８）と、当該発光部４１６１を挟んで互いに離間する方向に延出し、かつ、内部に各電極に接続される電極引出線が設けられた一対の封止部とを有する。そして、当該電極引出線を介して、一対の電極に電圧を印加すると、放電空間内の電極間にて放電が行われ、当該電極間にて光が生じる。この発光部４１６１は、本発明の射出領域に相当する。
【００２１】
第１レンズアレイ４１２は、光源装置４１１から射出された光束の中心軸（照明光軸Ａ）に略直交する面内に、複数の小レンズがマトリクス状に配列された構成を有している。これら第１レンズは、照明光軸Ａ方向から見て略矩形状の輪郭を有し、各第１レンズは、光源装置４１１から射出される光束を、複数の部分光束に分割する。
第２レンズアレイ４１３は、第１レンズアレイ４１２と同様の構成を有しており、第１レンズアレイ４１２の小レンズに対応する小レンズがマトリクス状に配列された構成を有している。この第２レンズアレイ４１３は、重畳レンズ４１５とともに、第２レンズアレイ４１３の各小レンズの像を、電気光学装置４４の後述する液晶パネル４４２の画像形成領域に結像させる機能を有している。
【００２２】
調光装置５は、第１レンズアレイ４１２及び第２レンズアレイ４１３の間に設けられ、第１レンズアレイ４１２から射出された光を部分的に遮蔽して、第２レンズアレイ４１３に入射する光量を調整し、これにより、後述する液晶パネル４４２の画像形成領域に入射する光量を調整する。この調光装置５の構成については、後に詳述する。
【００２３】
偏光変換素子４１４は、第２レンズアレイ４１３と重畳レンズ４１５との間に配置され、当該第２レンズアレイ４１３からの光を略１種類の直線偏光に変換する。
具体的に、偏光変換素子４１４によって略１種類の直線偏光に変換された各部分光は、重畳レンズ４１５によって最終的に後述する液晶パネル４４２の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、電気光学装置４４での光の利用効率を高めている。
【００２４】
〔色分離光学装置及びリレー光学装置の構成〕
色分離光学装置４２は、２枚のダイクロイックミラー４２１，４２２と、反射ミラー４２３とを備え、ダイクロイックミラー４２１，４２２により照明光学装置４１から射出された複数の部分光束を、赤（Ｒ）、緑（Ｇ）、青（Ｂ）の３色の色光に分離する。
リレー光学装置４３は、入射側レンズ４３１、リレーレンズ４３３及び反射ミラー４３２，４３４を備え、色分離光学装置４２で分離された赤色光を赤色光用の液晶パネル４４２Ｒまで導く機能を有している。
【００２５】
この際、色分離光学装置４２のダイクロイックミラー４２１では、照明光学装置４１か
ら射出された光束の赤色光成分及び緑色光成分が透過し、青色光成分が反射する。ダイクロイックミラー４２１によって反射された青色光は、反射ミラー４２３で反射され、フィールドレンズ４４１を通って青色光用の液晶パネル４４２Ｂに達する。このフィールドレンズ４４１は、第２レンズアレイ４１３から射出された各部分光束を、その中心軸（主光線）に対して平行な光束に変換する。他の緑色光及び赤色光用の液晶パネル４４２Ｇ，４４２Ｒの光入射側に設けられたフィールドレンズ４４１も同様である。
【００２６】
ダイクロイックミラー４２１を透過した赤色光及び緑色光のうち、緑色光は、ダイクロイックミラー４２２によって反射され、フィールドレンズ４４１を通って緑色光用の液晶パネル４４２Ｇに達する。一方、赤色光は、ダイクロイックミラー４２２を透過してリレー光学装置４３を通り、さらにフィールドレンズ４４１を通って赤色光用の液晶パネル４４２Ｒに達する。なお、赤色光にリレー光学装置４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４４１に伝えるためである。なお、リレー光学装置４３には、３つの色光のうち赤色光を通す構成としたが、これに限らず、例えば、青色光を通す構成としてもよい。
【００２７】
〔電気光学装置の構成〕
電気光学装置４４は、色分離光学装置４２から射出される３つの色光を画像情報に応じてそれぞれ変調し、変調した各色光を合成して光学像（カラー画像）を形成する。
この電気光学装置４４は、図１に示すように、前述のフィールドレンズ４４１と、光変調装置としての液晶パネル４４２（赤色光用の液晶パネルを４４２Ｒ、緑色光用の液晶パネルを４４２Ｇ、及び、青色光用の液晶パネルを４４２Ｂとする）と、これら各液晶パネル４４２の光束入射側にそれぞれ配置される３つの入射側偏光板４４３と、各液晶パネル４４２の光束射出側にそれぞれ配置される３つの視野角補償板４４４と、当該３つの視野角補償板４４４の光束射出側にそれぞれ配置される３つの射出側偏光板４４５と、色合成光学装置としてのクロスダイクロイックプリズム４４６とを備えて構成されている。
【００２８】
入射側偏光板４４３には、偏光変換素子４１４で偏光方向が略一方向に揃えられた各色光が入射し、当該入射側偏光板４４３は、入射した光束のうち、偏光変換素子４１４で揃えられた光束の偏光方向と略同一方向の偏光光のみ透過させ、その他の光束を吸収する。このような入射側偏光板４４３は、例えば、サファイアガラスまたは水晶等の透光性基板上に偏光層が貼付された構成を有している。
液晶パネル４４２は、詳しい図示を省略するが、一対の透明なガラス基板間に電気光学物質である液晶が密閉封入された構成を有している。そして、当該液晶パネル４４２では、前述の制御ユニット９３から入力する画像情報である駆動信号に応じて、画像形成領域に位置する液晶の配向状態が制御され、入射側偏光板４４３から射出された偏光光束の偏光方向が変調されることで、画像光が形成される。
【００２９】
視野角補償板４４４は、液晶パネル４４２に光束が斜方入射した場合（パネル面の法線方向に対して傾斜して入射した場合）の当該液晶パネル４４２で生じる複屈折による常光と異常光との間に生じる位相差を補償する。
射出側偏光板４４５は、液晶パネル４４２から射出され視野角補償板４４４を介した光束のうち、入射側偏光板４４３における光束の透過軸と直交する偏光方向を有する光束のみ透過させ、その他の光束を吸収するものである。このような射出側偏光板４４５は、前述の入射側偏光板４４３と同様の構成とすることができる。
【００３０】
クロスダイクロイックプリズム４４６は、射出側偏光板４４５から射出された色光毎に変調された変調光を合成して光学像（カラー画像）を形成する色合成光学装置である。
このクロスダイクロイックプリズム４４６は、４つの直角プリズムを貼り合わせた平面視正方形状をなし、直角プリズム同士を貼り合わせた界面には、２つの誘電体多層層が形成されている。これら誘電体多層層は、投射レンズ３と対向する側（Ｇ色光側）に配置された射出側偏光板４４５を介した色光を透過し、残り２つの射出側偏光板４４５（Ｒ色光側及びＢ色光側）を介した色光を反射する。このようにして、各入射側偏光板４４３、各液晶パネル４４２、各視野角補償板４４４、及び、各射出側偏光板４４５にて変調された各色光が合成されてカラー画像が形成される。このようにして形成されたカラー画像に係る画像光は、前述の投射レンズ３により拡大投射され、当該カラー画像が投射面上に表示される。
【００３１】
〔光学部品用筐体の構成〕
図２及び図３は、光学部品用筐体４５を示す斜視図である。具体的に、図２は、光学部品用筐体４５を投射レンズ３による画像光の投射方向とは反対方向側から見た斜視図であり、図３は、当該投射方向側から見た斜視図である。なお、図２及び図３において、Ｚ方向は、光源装置４１１から色分離光学装置４２までの範囲での当該光源装置４１１から射出された光束の中心軸における光の進行方向を示し、Ｘ方向及びＹ方向は、それぞれＺ方向に直交し、かつ、互いに直交する方向を示している。なお、プロジェクタ１が水平面に載置された場合には、Ｘ方向は、水平に沿う方向のうち、Ｚ方向から見て右から左に向かう方向となり、Ｙ方向は、鉛直方向に対する反対方向となる。以下に示す各図において、Ｘ，Ｙ及びＺ方向が示されている場合には、図２及び図３と同じ方向を示す。
光学部品用筐体４５は、図２及び図３に示すように、平面視略Ｌ字状を有する合成樹脂製の箱型筐体である。この光学部品用筐体４５は、上方に前述の光学部品（第１レンズアレイ４１２及び第２レンズアレイ４１３等）を収納するための開口部４５２を有する部品収納部材４５１と、当該開口部４５２を閉塞する蓋状部材（図示省略）とを備えて構成されている。
【００３２】
このうち、部品収納部材４５１は、外装筐体２の底面に沿って配置される底面部４５３と、当該底面部４５３の端縁から起立する側面部４５４とを有している。そして、部品収納部材４５１は、これらにより、開口部４５２がＹ方向を向くように、断面視略Ｕ字状に形成されている。このような部品収納部材４５１の一端には、光源装置４１１が取り付けられる光源取付部４５５が形成され、他端には、投射レンズ３が取り付けられるレンズ取付部４５６が形成されている。また、当該部品収納部材４５１の内部には、前述の光学部品を位置決めする複数の溝部４５７が形成されている。
【００３３】
投射レンズ３の取付側（Ｘ方向基端側）に位置する側面部４５４には、調光装置５の後述する遮光部材５６が挿入される開口部４５８（図３）と、遮光部材５７が挿入される凹部４５９とが形成されており、凹部４５９は、開口部４５２の端縁と連続して形成されている。これら開口部４５８及び凹部４５９は、部品収納部材４５１内に位置決め固定される第１レンズアレイ４１２及び第２レンズアレイ４１３の間に対応する範囲内で、かつ、当該第２レンズアレイ４１３寄りの位置に形成されている。そして、調光装置５は、遮光部材５６，５７が部品収納部材４５１内に挿入された状態で、側面部４５４にねじ等により固定される。
【００３４】
〔調光装置の構成〕
図４及び図５は、調光装置５を示す斜視図である。具体的に、図４は、調光装置５を一方の側（面５１Ａ側）から見た斜視図であり、図５は、調光装置５を反対側（面５１Ｂ側）から見た斜視図である。
調光装置５は、前述のように、第１レンズアレイ４１２から入射した光束の一部を遮光して、第２レンズアレイ４１３に入射する光量、ひいては、液晶パネル４４２に入射する光量を調整して、投射画像のコントラスト向上に寄与するものである。この調光装置５は
、図４及び図５に示すように、保持部材５１、駆動手段としてのステッピングモータ（以下「モータ」と略す）５２、ギア５３〜５５、遮光部材５６，５７及びフォトセンサ５８を備えている。
【００３５】
保持部材５１は、板金により形成された側面視略矩形の平板状部材であり、当該保持部材５１の端縁に形成された複数の孔部５１１を挿通するねじ（図示省略）により、前述の側面部４５４に沿って部品収納部材４５１に取り付けられ、これにより、調光装置５が光学部品用筐体４５に取り付けられる。この保持部材５１における側面部４５４に対向する面５１Ａ側には、ギア５３〜５５及び遮光部材５６，５７が配置され、当該面５１Ａとは反対側の面５１Ｂ側には、モータ５２及びフォトセンサ５８が配置される。
そして、このような保持部材５１には、孔部５１１の他に、モータ取付部５１２、ギア取付部５１３，５１４、屈曲部５１５〜５１７及びセンサ取付部５１８を備えている。
【００３６】
モータ取付部５１２は、保持部材５１におけるＺ方向先端側端部に形成されている。このモータ取付部５１２は、モータ５２の後述するギア５２２が挿通し、当該ギア５２２を面５１Ａ側に露出させる略円形状の開口部５１２１と、当該開口部５１２１を挟むように形成された一対の孔部（図示省略）とを有している。そして、当該一対の孔部には、面５１Ｂ側に配置されたモータ５２を保持部材５１に取り付けるためのねじ５９１が、それぞれ挿通する。
【００３７】
図示を省略したが、ギア５３が取り付けられるギア取付部は、モータ取付部５１２からＺ方向基端側に形成された孔部として構成されている。また、ギア５４，５５が取り付けられるギア取付部５１３，５１４は、図５に示すように、それぞれ、保持部材５１におけるＺ方向略中央で、かつ、Ｙ方向基端側と先端側とにそれぞれ形成された孔部として構成されている。これらギア取付部５１３，５１４（ギア５３に係るギア取付部も含む）には、ギア５３〜５５を挿通するねじ５９２が螺合し、これにより、図４に示すように、保持部材５１の面５１Ａ側に、ギア５３〜５５が回動自在に支持される。
【００３８】
屈曲部５１５〜５１７のうち、屈曲部５１５，５１６は、図４及び図５に示すように、保持部材５１におけるＹ方向先端側の端部が面５１Ａ側に屈曲されて形成されている。これら屈曲部５１５，５１６は、ギア５５を覆って保護するとともに、ギア５５が必要以上に回動した際に、当該ギア５５に当接して回動を規制する規制部としても機能する。
屈曲部５１７は、保持部材５１におけるＹ方向基端側の端部が面５１Ａ側に屈曲して形成されている。この屈曲部５１７は、ギア５４を覆って保護するとともに、保持部材５１が前述の部品収納部材４５１に取り付けられた際に、当該部品収納部材４５１の底面に当接して、位置決めをする機能を有している。
【００３９】
センサ取付部５１８は、保持部材５１におけるＹ方向基端側の部位である。このセンサ取付部５１８は、図示を省略したが、フォトセンサ５８を面５１Ｂ側に固定するためのねじが螺合する孔部と、当該フォトセンサ５８のセンサ部５８１からの光を面５１Ａ側に通すための開口部とを有し、当該開口部は、後述するギア５４の切欠５４２に応じた位置に形成されている。
【００４０】
モータ５２は、後述するギア５３〜５５を回動させる駆動力を発生するものであり、当該モータ５２の駆動は、前述の制御ユニット９３により制御される。
このモータ５２は、回転軸であるスピンドル（図示省略）を有するモータ本体５２１と、当該スピンドルの先端に設けられたギア５２２とを備えている。これらのうち、モータ本体５２１は、保持部材５１の面５１Ｂ側に取り付けられ、ギア５２２は、開口部５１２１を介して、面５１Ａ側に配置され、ギア５３と噛合する。
【００４１】
ギア５３は、図４に示すように、モータ５２で発生した駆動力をギア５４に伝達する。このギア５３は、ギア５２２に噛合する第１ギア部５３１と、ギア５４に噛合する第２ギア部５３２とを備え、これら第１ギア部５３１及び第２ギア部５３２は、それぞれ同軸上に形成されている。このうち、第１ギア部５３１の径寸法は、第２ギア部５３２の径寸法より大きく設定されており、このようなギア５３により、ギア５２２の回転が減速され、モータ５２の回動は、ギア５４，５５では約１０分の１の回動に調整される。
【００４２】
ギア５４，５５は、それぞれ本発明の回動部材に相当し、互いに噛合した状態で、保持部材５１に回動自在に取り付けられる。すなわち、ギア５３を介して伝達されたモータ５２の駆動力により、ギア５４，５５は、互いに逆方向に回動する。
これらのうち、ギア５４は、平面視略円形状に形成されているが、ギア５５は、調光装置５の小型化のために、当該ギア５５が保持する遮光部材５７の動作範囲に応じた寸法に設定されている。具体的には、当該ギア５５は、平面視略１／４円形状を有している。
【００４３】
ギア５４は、ギア取付部５１３の中心に回動軸ＡＸ１を有し、また、ギア５５は、ギア取付部５１４の中心に回動軸ＡＸ２を有し、これら回動軸ＡＸ１，ＡＸ２を中心として回動する。これら回動軸ＡＸ１，ＡＸ２は、第１レンズアレイ４１２から射出された光束の中心軸に対して直交するように、各ギア５４，５５は配置される。また、これら回動軸ＡＸ１，ＡＸ２は、後述する遮光部材５６，５７が、ギア５４，５５の回動に応じて、第２レンズアレイ４１３に対して近接及び離間するように、当該第２レンズアレイ４１３近傍に位置する。
【００４４】
このようなギア５４，５５は、当該回動軸ＡＸ１，ＡＸ２から外れた位置で、かつ、第１レンズアレイ４１２に近接する側の位置に、それぞれ遮光部材５６，５７を保持する保持部５４１，５５１を備えている。
保持部５４１，５５１は、回動軸ＡＸ１，ＡＸ２に沿うように、ギア５４，５５から面外方向に起立して形成されている。そして、これら保持部５４１，５５１には、回動軸ＡＸ１，ＡＸ２に沿って配置された遮光部材５６，５７が、ねじ（図示省略）により固定される。
【００４５】
また、ギア５４の一端には、切欠５４２が形成されている。この切欠５４２には、フォトセンサ５８のセンサ部５８１により光が照射され、当該センサ部５８１での光の検出状態が変化することにより、フォトセンサ５８は、ギア５４により保持される遮光部材５６の位置を検出する。そして、フォトセンサ５８は、遮光部材５６の位置の検出状態に係る検出信号を、前述の制御ユニット９３に出力する。
【００４６】
図６は、調光装置５の遮光部材５６，５７と、第１レンズアレイ４１２及び第２レンズアレイ４１３との位置関係を示す斜視図である。
遮光部材５６，５７は、図６に示すように、第１レンズアレイ４１２と第２レンズアレイ４１３との間に、当該第１レンズアレイ４１２から射出された光束の中心軸に対して略対称で、かつ、Ｘ方向に沿うように配置される。そして、これら遮光部材５６，５７は、ギア５４，５５の回動に伴って、当該光束の透過領域内に挿入され、当該光束の一部を反射して、第２レンズアレイ４１３に入射する光束の光量を調整する。
これら遮光部材５６，５７は、図４〜図６に示すように、それぞれ、回動軸ＡＸ１，ＡＸ２に沿う方向（Ｘ方向）に長手方向を有する板状部材であり、それぞれ略鏡面対称構造を有している。そして、遮光部材５６，５７は、長手方向の寸法が、第２レンズアレイ４１３における各小レンズが形成された領域の同方向の寸法に応じて設定され、また、当該延出方向に直交する方向（短手方向）の寸法が、同じく各小レンズが形成された領域における同方向の寸法の略半分に設定されている。
【００４７】
このような遮光部材５６，５７は、長手方向に沿って延出する第１遮光部５６１，５７１と、固定部５６２，５７２と、第２遮光部５６３，５７３と、凹部５６４，５７４とを有し、これらが一体的に形成されている。
第１遮光部５６１，５７１は、Ｘ方向に沿う所定の軸を中心して、所定の曲率で湾曲して形成されており、このため、当該第１遮光部５６１，５７１は、側面視略円弧状に形成されている。
固定部５６２，５７２は、第１遮光部５６１，５７１のギア５４，５５側（Ｘ方向基端側）に平板状に形成されている。この固定部５６２，５７２には、遮光部材５６，５７を保持部５４１，５５１に固定するためのねじ（図示省略）が挿通する孔部５６２１，５７２１が形成されている。
【００４８】
第２遮光部５６３，５７３は、第１遮光部５６１，５７１における他方の遮光部材に近接する側の端部から、いったん第１レンズアレイ４１２側に屈曲し、屈曲方向の先端にて、当該他方の遮光部材に近接するように再度屈曲して形成されている。これら第２遮光部５６３，５７３は、遮光部材５６，５７への光の入射方向（Ｚ方向）から見て、略矩形状に形成されているとともに、Ｘ方向に沿う所定の軸を中心として、第１遮光部５６１，５７１と同じ曲率で湾曲して形成されている。このため、第２遮光部５６３，５７３は、側面視略円弧状を有している。そして、これら第２遮光部５６３，５７３と、第１遮光部５６１，５７１との第１レンズアレイ４１２側の面が、当該第１レンズアレイ４１２から入射した光を遮光する遮光面５６Ａ，５７Ａとして構成される。
このため、遮光面５６Ａ，５７Ａは、遮光部材５６，５７を側方（Ｘ方向）から見た際に、当該遮光部材５６，５７が全閉状態（第２レンズアレイ４１３を最も覆うように、遮光部材５６，５７が配置された状態）である場合に、第１レンズアレイ４１２から射出された光束の中心軸に対して直交しないように、湾曲して形成される。
【００４９】
凹部５６４，５７４は、第２遮光部５６３，５７３における他方の遮光部材に近接する側の端部の略中央に、内側に凹むように形成されている。これら凹部５６４，５７４は、前述の全閉状態で、第１レンズアレイ４１２から射出された光束の中心に応じた位置に配置される。そして、これら凹部５６４，５７４を介して、当該光束において最も輝度が高い領域となる当該光束の中心近傍を通過する光の一部を、第２レンズアレイ４１３に入射させる。このような凹部５６４，５７４により、遮光部材５６，５７を全閉状態にした場合でも、第１レンズアレイ４１２から射出された光を完全遮蔽せずに、当該光の一部を、第２レンズアレイ４１３に入射させることができる。
【００５０】
〔遮光部材による遮光〕
以下、遮光部材５６，５７により反射された光の光路について説明する。
図７及び図８は、遮光部材５６，５７による反射光の光路を示す模式図である。具体的に、図７は、遮光部材５６，５７を、第１レンズアレイ４１２から射出された光束の透過領域ＴＡ内に僅かに挿入した状態での反射光の光路を示す模式図である。また、図８は、遮光部材５６，５７を全閉状態にした場合の反射光の光路を示す模式図である。
【００５１】
モータ５２が駆動して、ギア５４，５５が回動されると、当該ギア５４，５５により保持された遮光部材５６，５７は、図７に示すように、第１レンズアレイ４１２から射出された光束の透過領域ＴＡ（図７及び図８中の一点鎖線で囲まれる領域）内に挿入され、当該遮光部材５６，５７により、第２レンズアレイ４１３の光束入射面の一部が覆われる。
この際、光源ランプ４１６の発光部４１６１から射出され（必要に応じて、リフレクタ４１７により反射され）、平行化凹レンズ４１８及び第１レンズアレイ４１２を介して、遮光面５６Ａ，５７Ａに入射した光（例えば、図７における矢印Ｃの光）は、図７における矢印Ｄで示すように、当該遮光面５６Ａ，５７Ａにより、透過領域ＴＡ外に反射される。これにより、第１レンズアレイ４１２から射出された光の一部を、第２レンズアレイ４
１３に入射しないように遮光することができ、液晶パネル４４２の画像形成領域に入射する光量を低減することができる。
【００５２】
一方、遮光部材５６，５７が前述の全閉状態に位置する場合には、図８に示すように、第２レンズアレイ４１３の光束入射面の大部分が、当該遮光部材５６，５７により覆われる。
この際、遮光面５６Ａ，５７Ａに入射した光の一部（遮光面５６Ａ，５７Ａにおける透過領域ＴＡの中心軸に対して直交する部位に入射される光であり、例えば、図８における矢印Ｃ１の光）は、当該遮光面５６Ａ，５７Ａにより反射されることで、図８における矢印Ｄ１で示すように、発光部４１６１から遮光面５６Ａ，５７Ａに入射するまでの光路を逆に辿って、当該発光部４１６１に到達する。しかしながら、遮光面５６Ａ，５７Ａに入射した光の大部分（遮光面５６Ａ，５７Ａにおける透過領域ＴＡの中心軸に対して直交しない部位に入射される光であり、例えば、図８における矢印Ｃ２の光）は、例えば、図８における矢印Ｄ２で示すように、当該遮光面５６Ａ，５７Ａにより、透過領域ＴＡの外側に反射され、発光部４１６１に到達しない。このため、発光部４１６１に戻る光量を低減することができ、当該発光部４１６１の温度上昇を抑制することができる。
【００５３】
以上説明した本実施形態のプロジェクタ１によれば、以下の効果がある。
（１）第１レンズアレイ４１２と第２レンズアレイ４１３との間に配置された調光装置５の遮光部材５６，５７は、湾曲面として形成された遮光面５６Ａ，５７Ａを有している。これによれば、遮光部材５６，５７が、第２レンズアレイ４１３の光束入射面を最も覆うように、第１レンズアレイ４１２から射出された光束の中心軸に対して直交するように配置された全閉状態で、当該遮光面５６Ａ，５７Ａに入射した光の大部分は、当該光束の透過領域ＴＡの外側に反射され、当該光が、光の射出領域である光源ランプ４１６の発光部４１６１に戻ることを抑制することができる。従って、第２レンズアレイ４１３に入射する光量を低減することができるとともに、発光部４１６１の温度上昇を抑制することができ、ひいては、光源ランプ４１６の劣化を抑制することができる。
【００５４】
（２）第２レンズアレイ４１３に入射する光量を低減することができるので、画像光を形成する光変調装置である液晶パネル４４２に入射する光量を低減することができる。従って、投射された画像のコントラストを向上することができる。更に、光源ランプ４１６の劣化を抑制することができるので、頻繁に光源ランプ４１６を交換する手間を省くことができ、これにより、プロジェクタ１のメンテナンスの手間を省くことができる。
【００５５】
〔２．第２実施形態〕
次に、本発明の第２実施形態に係るプロジェクタについて説明する。
本実施形態に係るプロジェクタは、前述のプロジェクタ１と同様の構成を有するが、当該プロジェクタ１では、遮光部材５６，５７の遮光面５６Ａ，５７Ａが湾曲して形成されていたのに対し、本実施形態のプロジェクタでは、遮光部材は平板状に形成され、遮光面に光吸収層が形成されている点で、当該プロジェクタとプロジェクタ１とは相違する。なお、以下の説明では、既に説明した部分と同一または略同一である部分については、同一の符号を付して説明を省略する。
【００５６】
図９は、本実施形態に係るプロジェクタの調光装置６が備える遮光部材６６，６７を光束入射側（Ｚ方向基端側）から見た斜視図である。なお、図９においては、遮光部材６６，６７以外の調光装置６の構成については、図示を省略している。
本実施形態のプロジェクタは、調光装置５に代えて、調光装置６を備える他は、前述のプロジェクタ１と同様の構成を備えている。また、当該調光装置６は、調光装置５と同様に、第１レンズアレイ４１２から射出された光の少なくとも一部を遮蔽して、第２レンズアレイ４１３、ひいては、液晶パネル４４２に入射する光量を調整する。この調光装置６
は、遮光部材５６，５７に代えて、遮光部材６６，６７を備える他は、調光装置５と同様の構成を備えている。
【００５７】
遮光部材６６，６７は、前述の遮光部材５６，５７と同様に、ギア５４，５５の回動に伴って第１レンズアレイ４１２から射出された光束の透過領域ＴＡ内に挿入され、入射した光を遮蔽することで、第２レンズアレイ４１３に入射する光量を調整するものであり、Ｘ方向に沿って当該光束の中心軸に対して対称配置される。これら遮光部材６６，６７は、図９に示すように、ギア５４，５５の回動軸ＡＸ１，ＡＸ２（図４）に沿う方向（Ｘ方向）に長手方向を有する平板状部材であり、光束入射側（Ｚ方向基端側）から見て、それぞれ略Ｌ字状に形成されている。このような遮光部材６６，６７は、Ｘ方向に沿って延出する第１遮光部６６１，６７１と、固定部６６２，６７２と、第２遮光部６６３，６７３と、凹部６６４，６７４とを有している。
【００５８】
固定部６６２，６７２は、第１遮光部６６１，６７１の一方の端部側（Ｘ方向基端側）に形成されており、前述のギア５４，５５の保持部５４１，５５１に取り付けられる。この固定部６６２，６７２には、遮光部材６６，６７を保持部５４１，５５１に固定するためのねじが挿通する孔部６６２１，６７２１が形成されている。
【００５９】
第２遮光部６６３，６７３は、第１遮光部６６１，６７１における他方の遮光板に近接する側の端部から、当該他方の遮光板に近接する方向に延出して形成されている。このような第２遮光部６６３，６７３と第１遮光部６６１，６７１とにより形成される遮光面６６Ａ，６７Ａ（第２遮光部６６３，６７３及び第１遮光部６６１，６７１における光束入射側の面）は、平坦な面とされる。
【００６０】
凹部６６４，６７４は、前述の凹部５６４，５７４と同様に、第２遮光部６６３，６７３における他方の遮光部材に近接する側の端部の略中央に、内側に凹むように形成されている。そして、これら凹部６６４，６７４は、遮光部材６６，６７の全閉状態で、第１レンズアレイ４１２から射出された光束の中心に応じた位置に配置され、これら凹部６６４，６７４を介して、当該光束において最も輝度が高い領域となる当該光束の中心近傍を通過する光の一部を、第２レンズアレイ４１３に入射させる。
【００６１】
ここで、遮光面６６Ａ，６７Ａには、所定の塗料により、光吸収層６６Ａ１，６７Ａ１が形成されている。このため、遮光面６６Ａ，６７Ａに入射した光は、光吸収層６６Ａ１，６７Ａ１により吸収される。
【００６２】
〔遮光部材による遮光〕
以下、遮光部材６６，６７に対する光の軌跡について説明する。
図１０及び図１１は、遮光部材６６，６７にに入射する光の光路を示す模式図である。具体的に、図１０は、遮光部材６６，６７を、第１レンズアレイ４１２からの光束の透過領域ＴＡ内に僅かに挿入した状態での光の光路を示す模式図である。また、図１１は、遮光部材６６，６７を全閉状態とした場合の光路を示す模式図である。
【００６３】
透過領域ＴＡの中心軸に対して遮光面６６Ａ，６７Ａが傾斜するように、遮光部材６６，６７を透過領域ＴＡ内に挿入した状態では、図１０に示すように、光源ランプ４１６の発光部４１６１から射出され、第１レンズアレイ４１２を介して遮光面６６Ａ，６７Ａに入射した光（例えば、図１０における矢印Ｅの光）は、光吸収層６６Ａ１，６７Ａ１により吸収される。これにより、第２レンズアレイ４１３に入射する光量を低減することができる。ここで、図１０に示すように、遮光面６６Ａ，６７Ａが透過領域ＴＡの中心軸に対して傾斜している場合において、光吸収層６６Ａ１，６７Ａ１にて吸収できなかった光が遮光面６６Ａ，６７Ａにて反射され、光源ランプ４１６の発光部４１６１に到達するおそれがある。しかしながら、遮光面６６Ａ，６７Ａは、傾斜しているため、当該遮光面６６Ａ，６７Ａにて反射される光は、透過領域ＴＡの外側に反射される。従って、光源ランプ４１６の発光部４１６１に到達する光量を低減することができる。
【００６４】
透過領域ＴＡの中心軸に対して遮光面６６Ａ，６７Ａが直交するように（遮光部材６６，６７が全閉状態となるように）、遮光部材６６，６７を透過領域ＴＡ内に挿入した状態では、図１１に示すように、遮光面６６Ａ，６７Ａに入射した光（例えば、図１１における矢印Ｅ１の光）は、光吸収層６６Ａ１，６７Ａ１に吸収される。ここで、図１１に示すように、遮光面６６Ａ，６７Ａが透過領域ＴＡの中心軸に対して直交している場合において、光吸収層６６Ａ１，６７Ａ１にて吸収できなかった光が遮光面６６Ａ，６７Ａにて反射されて、光源ランプ４１６の発光部４１６１に到達するおそれがある。しかしながら、遮光面６６Ａ，６７Ａにて反射される光量は、光吸収層６６Ａ１，６７Ａ１によって遮光面６６Ａ，６７Ａに入射した光量よりも減衰されているので、発光部４１６１に戻る光量を低減しつつ、第２レンズアレイ４１３に入射する光量を低減することができ、ひいては、液晶パネル４４２の画像形成領域に入射される光量を低減することができる。
【００６５】
以上説明した本実施形態に係るプロジェクタによれば、前述のプロジェクタ１が奏することのできる効果（２）と同様の効果を奏することができるほか、以下の効果を奏することができる。
（３）第１レンズアレイ４１２から射出された光束の透過領域ＴＡ内に挿入される遮光部材６６，６７の光束入射面である遮光面６６Ａ，６７Ａには、入射した光を吸収する光吸収層６６Ａ１，６７Ａ１が形成されている。これによれば、遮光面６６Ａ，６７Ａに入射した光は、光吸収層６６Ａ１，６７Ａ１に吸収されるので、光の射出領域である光源ランプ４１６の発光部４１６１に到達する光量を低減することができる。従って、光源ランプ４１６の温度上昇を抑制することができ、当該光源ランプ４１６の劣化を抑制することができる。
たとえ、光吸収層６６Ａ１，６７Ａ１で吸収できなかった光が遮光面６６Ａ，６７Ａにて反射された場合でも、遮光面６６Ａ，６７Ａを傾斜することで、反射された光が透過領域ＴＡの外側に反射され、また、遮光面６６Ａ，６７Ａにて反射される光量は、遮光面６６Ａ，６７Ａに入射した光量よりも減衰されるので、発光部４１６１に到達する光量を低減することができる。
【００６６】
〔３．第３実施形態〕
次に、本発明の第３実施形態に係るプロジェクタについて説明する。
本実施形態のプロジェクタは、前述のプロジェクタ１と同様の構成を備えるが、当該プロジェクタ１が備える調光装置５の遮光面５６Ａ，５７Ａは、Ｘ方向に沿う所定の軸を中心とする円弧状に形成されていたが、本実施形態のプロジェクタが備える調光装置では、遮光部材の遮光面は、Ｘ方向に沿う所定の軸と、Ｙ方向に沿う所定の軸とを中心として略楕円曲面形状に形成されている点で、当該プロジェクタとプロジェクタ１とは相違する。
【００６７】
図１２は、本実施形態に係るプロジェクタの調光装置７が備える遮光部材７６，７７を光束入射側（Ｚ方向基端側）から見た斜視図である。なお、図１２においては、遮光部材７６，７７以外の調光装置７の構成については、図示を省略している。
本実施形態のプロジェクタは、調光装置５に代えて、調光装置６を備える他は、前述のプロジェクタ１と同様の構成を備えている。また、当該調光装置７は、調光装置５と同様に、第１レンズアレイ４１２から射出された光の少なくとも一部を遮蔽して、第２レンズアレイ４１３、ひいては、液晶パネル４４２に入射する光量を調整する。この調光装置７は、遮光部材５６，５７に代えて、遮光部材７６，７７を備える他は、調光装置５と同様の構成を備えている。
【００６８】
遮光部材７６，７７は、前述の遮光部材５６，５７と同様に、ギア５４，５５の回動に伴って第１レンズアレイ４１２から射出された光束の透過領域ＴＡ内に挿入され、入射した光を遮蔽することで、第２レンズアレイ４１３に入射する光量を調整する。これら遮光部材７６，７７は、図１２に示すように、Ｘ方向に長手方向を有する板状部材であり、当該遮光部材７６，７７は、それぞれ、透過領域ＴＡ内に挿入される遮光部７６１，７７１と、固定部７６２，７７２とを備えた一体成形品である。
このうち、固定部７６２，７７２は、遮光部７６１，７７１におけるギア５４，５５に近接する側（Ｘ方向基端側）に、平板状に形成されている。そして、これら固定部７６２
，７７２には、遮光部材７６，７７を、ギア５４，５５の保持部５４１，５５１に固定するためのねじが挿通する孔部７６２１，７７２１が形成されている。
【００６９】
遮光部７６１，７７１は、遮光部材７６，７７を全閉状態とした際に、Ｘ方向に沿う軸を中心とする円弧状に形成されるとともに、Ｙ方向に沿う軸を中心とする円弧状に形成されている。すなわち、遮光部７６１，７７１は、光束の入射方向（Ｚ方向）から見ると、略矩形状に形成されているが、Ｘ方向及びＹ方向から見ると、それぞれ円弧状に形成され、全体として略楕円曲面形状に形成されている。このため、遮光部７６１，７７１の光束入射面である遮光面７６Ａ，７７Ａは、それぞれ略楕円曲面形状を有している。
【００７０】
このような遮光部材７６，７７の全閉状態では、遮光面７６Ａ，７７Ａに入射した光は、透過領域ＴＡの外側に拡散するように反射されるので、発光部４１６１に戻る光量を低減することができる。
以上説明した本実施形態のプロジェクタによれば、前述のプロジェクタ１が奏することのできる効果（１）及び（２）と同様の効果を奏することができる。
【００７１】
〔４．第４実施形態〕
次に、本発明の第４実施形態に係るプロジェクタについて説明する。
本実施形態のプロジェクタは、前述のプロジェクタ１と同様の構成を備えるが、当該プロジェクタ１が備える調光装置５の遮光部材５６，５７の遮光面５６Ａ，５７Ａは、遮光部材５６，５７が全閉状態である場合に光源ランプ４１６の発光部４１６１への戻り光を減少させるために、湾曲して形成したが、本実施形態に係るプロジェクタでは、遮光板が全閉状態である場合に透過領域ＴＡの中心軸に対して傾斜する傾斜面を有する凸部が、遮光面に形成されている点で、当該プロジェクタとプロジェクタ１とは相違する。
【００７２】
図１３は、本実施形態に係るプロジェクタが備える調光装置８の遮光部材８６，８７の構成と、当該遮光部材８６，８７が全閉状態である場合に遮光面８６Ａ，８７Ａによる反射光の光路を示す模式図である。なお、図１３においては、遮光部材８６，８７以外の調光装置８の構成については、図示を省略している。
本実施形態のプロジェクタは、調光装置５に代えて、調光装置８を有する他は、プロジェクタ１と同様の構成を有している。また、調光装置８は、遮光部材５６，５７に代えて、遮光部材８６，８７を備える他は、調光装置５と同様の構成を有している。
遮光部材８６，８７は、ギア５４，５５に取り付けられた際に、当該ギア５４，５５の回動軸ＡＸ１，ＡＸ２に沿って延出し、かつ、当該回動軸ＡＸ１，ＡＸ２に沿う方向（Ｘ方向）に長手方向を有する遮光部８６１，８７１と、当該遮光部８６１，８７１のＸ方向基端側に形成され、かつ、保持部５４１，５５１に固定される固定部６６２，６７２とを備えている。これら遮光部材８６，８７は、第１レンズアレイ４１２から射出された光束の中心軸に対して対称配置される。
【００７３】
このうち、遮光部８６１，８７１における光束入射面である遮光面８６Ａ，８７Ａには、図１３に示すように、遮光部材８６，８７が全閉状態である場合に、第１レンズアレイ４１２からの光束の透過領域ＴＡの中心軸に対して傾斜する傾斜面８６Ａ２，８７Ａ２を有する断面視略三角形状の凸部８６Ａ１，８７Ａ１が、Ｘ方向に沿って隙間無く複数形成されている。これら傾斜面８６Ａ２，８７Ａ２の透過領域ＴＡの中心軸に対する角度は、４５°以上に設定されている。これは、当該傾斜面８６Ａ２，８７Ａ２に光が入射した際に、当該傾斜面８６Ａ２，８７Ａ２により反射された光が、第１レンズアレイ４１２を介して、光源ランプ４１６の発光部４１６１に到達しづらくするためである。
【００７４】
このような遮光部材８６，８７の全閉状態では、発光部４１６１から第１レンズアレイ４１２を介して遮光面８６Ａ，８７Ａに入射した光（例えば、図１３における矢印Ｈの光
）は、凸部８６Ａ１，８７Ａ１の傾斜面８６Ａ２，８７Ａ２にて、例えば、図１３における矢印Ｊに示すように、透過領域ＴＡの外側に反射される。このため、当該遮光面８６Ａ，８７Ａによる反射光が、光源ランプ４１６の発光部４１６１から遮光面８６Ａ，８７Ａに入射する光路を逆に辿って、当該発光部４１６１に入射することを防ぐことができるとともに、第２レンズアレイ４１３に入射する光量を低減することができる。
【００７５】
以上説明した本実施形態のプロジェクタによれば、前述のプロジェクタ１が奏することのできる効果（２）と同様の効果を奏することができるほか、以下の効果を奏することができる。
（４）遮光部材８６，８７が全閉状態にある場合、当該遮光部材８６，８７の遮光面８６Ａ，８７Ａに入射された光は、当該遮光面８６Ａ，８７Ａに形成された凸部８６Ａ１，８７Ａ１の傾斜面８６Ａ２，８７Ａ２により、第１レンズアレイ４１２から射出された光束の透過領域ＴＡの外側に反射される。これによれば、凸部８６Ａ１，８７Ａ１が形成されていない遮光部材に光が入射する場合に比べ、遮光面８６Ａ，８７Ａに入射され、かつ、光源ランプ４１６の発光部４１６１に反射される光量を低減することができる。従って、光源ランプ４１６の温度上昇を抑制することができ、ひいては、光源ランプ４１６の劣化を抑制することができる。
【００７６】
〔５．実施形態の変形〕
本発明は前述の実施形態に限定されるものではなく、本発明の目的を達成できる範囲での変形、改良等は本発明に含まれるものである。
前記第１及び第３実施形態では、光源ランプ４１６の発光部４１６１から射出され、かつ、反射されて当該発光部に入射する光量を低減するために、遮光面５６Ａ，５７Ａ，７６Ａ，７７Ａを、第１レンズアレイ４１２側に突出するように湾曲して形成した。また、前記第２実施形態では、遮光面６６Ａ，６７Ａに光吸収層６６Ａ１，６７Ａ１を形成し、更に、前記第４実施形態では、遮光面８６Ａ，８７Ａに凸部８６Ａ１，８７Ａ１を形成したが、本発明はこれらに限定されるものではない。すなわち、遮光面５６Ａ，５７Ａ，７６Ａ，７７Ａと同様に湾曲して形成された遮光面に、凸部８６Ａ１，８７Ａ１と同様の凸部を形成し、更に、当該遮光面に光吸収層を形成した遮光部材を採用してもよい。
【００７７】
前記第４実施形態では、遮光面８６Ａ，８７Ａには、遮光部材８６，８７が全閉状態にある際に、第１レンズアレイ４１２から射出された光束の透過領域ＴＡの中心軸に対して、傾斜角が４５°以上となる傾斜面８６Ａ２，８７Ａ２を有する凸部８６Ａ１，８７Ａ１を形成するとしたが、本発明はこれに限らない。すなわち、遮光部材８６，８７の全閉状態で、入射された光が発光部４１６１に反射されづらくなれば、凸部の傾斜面の傾斜角は、適宜設定してよい。
【００７８】
前記各実施形態では、第１レンズアレイ４１２から射出された光束の中心軸に対して、略対称に遮光部材５６，５７，６６，６７，７６，７７，８６，８７が配置されるとしたが、本発明はこれに限らない。すなわち、１つの遮光部材により当該光束を遮蔽して、第２レンズアレイ４１３に入射する光量を低減させるようにしてもよい。
また、前記各実施形態では、遮光部材５６，５７，６６，６７，７６，７７，８６，８７は、第１レンズアレイ４１２と第２レンズアレイ４１３との間に配置されるとしたが、本発明はこれに限らず、遮光部材の位置は適宜設定してよい。例えば、液晶パネル４４２ごとに、入射される光量を調整したい場合には、色分離光学装置４２により分離された各色光の光路上に、遮光部材が配置されるようにすればよい。
【００７９】
前記各実施形態では、プロジェクタ１は、３つの液晶パネル４４２Ｒ，４４２Ｇ，４４２Ｂを備えるとしたが、本発明はこれに限らない。すなわち、２つ以下、あるいは、４つ以上の液晶パネルを用いたプロジェクタにも、本発明を適用可能である。
また、前記各実施形態では、光学ユニット４は平面視略Ｌ字形状を有した構成を説明したが、これに限らず、例えば、平面視略Ｕ字形状を有した構成を採用してもよい。
さらに、前記各実施形態では、光束入射面と光束射出面とが異なる透過型の液晶パネル４４２を用いていたが、光入射面と光射出面とが同一となる反射型の液晶パネルを用いてもよい。
【００８０】
前記各実施形態では、光変調装置として液晶パネル４４２を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタにも、本発明を適用することも可能である。このような光変調装置を用いた場合、光束入射側及び光束射出側の偏光板４４３，４４５は省略することができる。
【００８１】
前記各実施形態では、調光装置５を備える照明光学装置４１を、プロジェクタ１に採用したが、本発明はこれに限らない。すなわち、このような照明光学装置４１を単体で利用することも可能である。
【産業上の利用可能性】
【００８２】
本発明は、プロジェクタに採用される調光装置及び照明装置に好適に利用することができる。
【図面の簡単な説明】
【００８３】
【図１】本発明の第１実施形態に係るプロジェクタの構成を示す模式図。
【図２】前記実施形態における光学部品用筐体を示す斜視図。
【図３】前記実施形態における光学部品用筐体を示す斜視図。
【図４】前記実施形態における調光装置を示す斜視図。
【図５】前記実施形態における調光装置を示す斜視図。
【図６】前記実施形態における遮光部材と、第１レンズアレイ及び第２レンズアレイとの位置関係を示す斜視図。
【図７】前記実施形態における遮光部材による反射光の光路を示す模式図。
【図８】前記実施形態における遮光部材による反射光の光路を示す模式図。
【図９】本発明の第２実施形態に係るプロジェクタの調光装置が備える遮光部材を示す斜視図。
【図１０】前記実施形態における遮光部材に入射する光の光路を示す模式図。
【図１１】前記実施形態における遮光部材に入射する光の光路を示す模式図。
【図１２】本発明の第３実施形態に係るプロジェクタの調光装置が備える遮光部材を示す斜視図。
【図１３】本発明の第４実施形態に係るプロジェクタが備える調光装置の遮光部材の構成と、当該遮光部材による反射光の光路を示す模式図。
【符号の説明】
【００８４】
１…プロジェクタ、３…投射レンズ（投射光学装置）、５，６，７，８…調光装置、４１…照明光学装置（照明装置）、５４，５５…ギア（回動部材）、５６，５７，６６，６７，７６，７７，８６，８７…遮光部材、４１１…光源装置、４１６…光源ランプ、４１７…リフレクタ（反射鏡）、４４２（４４２Ｒ，４４２Ｇ，４４２Ｂ）…液晶パネル（光変調装置）、５６Ａ，５７Ａ，６６Ａ，６７Ａ，７６Ａ，７７Ａ，８６Ａ，８７Ａ…遮光面、４１６１…発光部（射出領域）、６６Ａ１，６７Ａ１…光吸収層、８６Ａ１，８７Ａ１…凸部、８６Ａ２，８７Ａ２…傾斜面、ＡＸ１，ＡＸ２…回動軸。
【図１】
0004661954.tif 000002
【図２】
0004661954.tif 000003
【図３】
0004661954.tif 000004
【図４】
0004661954.tif 000005
【図５】
0004661954.tif 000006
【図６】
0004661954.tif 000007
【図７】
0004661954.tif 000008
【図８】
0004661954.tif 000009
【図９】
0004661954.tif 000010
【図１０】
0004661954.tif 000011
【図１１】
0004661954.tif 000012
【図１２】
0004661954.tif 000013
【図１３】
0004661954.tif 000014